(57)【要約】【課題】反射像と投映映像を観察できるとともに、観察者から見てハーフミラーの反対側の背景等を隠蔽できる情報表示部材を提供する。【解決手段】ハーフミラー２の一方の面に、透過型スクリーン４と、光透過部３１および遮光部３２の混在パターンからなる遮光層３とを有するように情報表示部材１を構成する。好ましくは、遮光層３中の遮光部３２の面積割合が２０〜８０％となるように構成する。好ましくは、遮光層３を網点タイプのものとする。【選択図】図１
2009069550.tif 000002
【特許請求の範囲】
【請求項１】
ハーフミラーの一方の面に、透過型スクリーンと、光透過部および遮光部の混在パターンからなる遮光層とを有してなることを特徴とする情報表示部材。
【請求項２】
前記遮光層中の遮光部の面積割合が２０〜８０％であることを特徴とする請求項１記載の情報表示部材。
【請求項３】
前記ハーフミラーの一方の面に、前記透過型スクリーンおよび遮光層をこの順に有することを特徴とする請求項１又は２記載の情報表示部材。
【発明の詳細な説明】
【技術分野】
【０００１】
本発明は、反射像を映すだけでなく、鏡面に様々な情報を表示することが可能な情報表示部材に関する。
【背景技術】
【０００２】
鏡は、洗面所や風呂場などの身だしなみを確認する場所、衣料品店など商品を確認する場所、美容室や理容室、建築物の柱など一般の人々が集まる場所など、さまざまな場所でさまざまな用途に利用されている。また、鏡の裏面から表側を透かして見ることができるハーフミラーは、サンバイザーとして建物や乗用車の窓に使われたり、防犯目的のため店舗などに設置されたりしている。
【０００３】
しかし、これまで鏡は反射像のみを映すだけであり、例えば自宅の洗面台の鏡などのように毎日同じ鏡を見る場合には、毎日同じような反射像しか見ることができなかった。これに対して、例えばその日の天気予報やニュースなどのような、反射像以外の付加情報を鏡の表面に表示することができれば、ユーザは鏡面上で、反射像のほかに、毎日異なる情報を得ることができる。また、反射像以外の付加情報を鏡の表面に表示できれば、人々が多く集まる場所では多大な広告効果が期待できる。
【０００４】
この問題を解決するものとして、透過型のホログラムスクリーンとハーフミラーとを重ねて表示部材を形成し、当該表示部材にプロジェクタで映像を投映する手段（特許文献１）、光散乱層を有する透過型スクリーンとハーフミラーとを重ねて表示部材を形成し、当該表示部材にプロジェクタで映像を投映する手段（特許文献２、３）が提案されている。これら特許文献１〜３の手段によれば、ユーザは反射像とともに投映映像を観察することができる。
【０００５】
【特許文献１】特開２００３−６６５３６号公報
【特許文献２】特開２００６−１４５６４５号公報
【特許文献３】特開２００６−３３００１１号公報
【発明の開示】
【発明が解決しようとする課題】
【０００６】
しかし、特許文献１のものはホログラムスクリーンが透明性に優れるため、観察者は、反射像、投映映像が見える他に、表示部材の観察者とは反対側を暗くしない限り、表示部材の観察者とは反対側が見えてしまい、狙った視覚効果が得られないという問題がある。また、ホログラムスクリーンは投映に角度制限があり使用しづらいという問題もある。
【０００７】
また、特許文献２、３のものは、光散乱層を有する透過型スクリーンを有するものである。光散乱層は、一般的に光を前方及び後方に拡散して白色不透明であることから、観察者から表示部材の観察者とは反対側を見えづらくすることはできる。しかし、光散乱層から距離が離れた物や人は見えなくなるものの、光散乱層に極めて近接した物などは影がぼんやりと見えてしまい、狙った視覚効果が得られないという問題があった。
【０００８】
そこで本発明は、狙った視覚効果を得ることができる情報表示部材を提供することを目的とする。
【課題を解決するための手段】
【０００９】
上記課題を解決する本発明の情報表示部材は、ハーフミラーの一方の面に、透過型スクリーンと、光透過部および遮光部の混在パターンからなる遮光層とを有してなることを特徴とするものである。
【００１０】
また、本発明の情報表示部材は、前記遮光層中の遮光部の面積割合が２０〜８０％であることを特徴とするものである。
【００１１】
また、本発明の情報表示部材は、前記ハーフミラーの一方の面に、前記透過型スクリーンおよび遮光層をこの順に有することを特徴とするものである。
【発明の効果】
【００１２】
本発明の情報表示部材は、ハーフミラー上に透過型スクリーンを有することから、反射像と投映映像を同時に観察することができる。さらに、本発明の情報表示部材は遮光層を有することから、透過型スクリーンの光散乱層に物が極めて接近した場合でも物影がほとんど見えず、反射像および投映映像の２つの像の視認性が妨げられることもない。
【発明を実施するための最良の形態】
【００１３】
本発明の情報表示部材は、ハーフミラーの一方の面に、透過型スクリーンと、光透過部および遮光部の混在パターンからなる遮光層とを有してなることを特徴とするものである。以下、本発明の情報表示部材の実施の形態を説明する。
【００１４】
図１および図２は、本発明の情報表示部材１の実施の形態を示す断面図である。図１および図２においては、ハーフミラー２の一方の面に、透明基材４１および光散乱層４２からなる透過型スクリーン４と、光透過部３１および遮光部３２の混在パターンからなる遮光層３とを有する構成になっている。図３は、本発明の情報表示部材１の使用状態を示す図であり、情報表示部材１にプロジェクタ５から投映光５１を投映した状態を示している。図４〜図６は遮光層３の実施の形態を示す平面図又は断面図である。
【００１５】
ハーフミラーは、入射光の一部を反射し、一部を透過するものである。このようなハーフミラーは、透明基材上に、金属薄膜や誘電体多層膜を形成することにより得ることができ、従来公知のものを用いることができる。ハーフミラーの反射率および透過率は、金属薄膜や誘電体多層膜の種類や厚み、積層する層の数などにより調整できる。一般的なハーフミラーは、反射率１０〜６０％、透過率５〜６０％程度であるが、本発明では、表示部材の観察者とは反対側を見えづらくするため、反射率４０〜６０％、透過率５〜２０％とすることが好ましい。
【００１６】
透過型スクリーンは、プロジェクタから投映された映像を結像し散乱する役割を有するとともに、表示部材の観察者とは反対側を見えづらくする役割を有する。このような透過型スクリーンは、少なくとも光散乱層から構成される。光散乱層は、主として微粒子と透明バインダーとから構成される。
【００１７】
透明バインダーは、透明であるとともに微粒子を均一に分散保持できるものであればよく、固体に限定されず液体や液晶などの流動体であってもよい。但し、光散乱層単体で透過型スクリーンの形状を維持するためには、ガラスや高分子樹脂であることが好ましく、取り扱い性や分散安定性の観点から高分子樹脂であることが望ましい。
【００１８】
ガラスは、光散乱層の光透過性が失われるものでなければ特に限定されるものではないが、一般にはケイ酸塩ガラス、リン酸塩ガラス、ホウ酸塩ガラスなどの酸化ガラスなどがあげられる。
【００１９】
高分子樹脂は、光散乱層の光透過性が失われるものでなければ特に限定されず、ポリエステル系樹脂、アクリル系樹脂、アクリルウレタン系樹脂、ポリエステルアクリレート系樹脂、ポリウレタンアクリレート系樹脂、エポキシアクリレート系樹脂、ウレタン系樹脂、エポキシ系樹脂、ポリカーボネート系樹脂、セルロース系樹脂、アセタール系樹脂、ビニル系樹脂、ポリエチレン系樹脂、ポリスチレン系樹脂、ポリプロピレン系樹脂、ポリアミド系樹脂、ポリイミド系樹脂、メラミン系樹脂、フェノール系樹脂、シリコーン系樹脂、フッ素系樹脂などの熱可塑性樹脂、熱硬化性樹脂、電離放射線硬化性樹脂などを用いることができる。
【００２０】
透明バインダー中に含有させる微粒子としては、シリカ、アルミナ、タルク、ジルコニア、酸化亜鉛、二酸化チタンなどの無機系の微粒子、ポリメチルメタクリレート、ポリスチレン、ポリウレタン、ベンゾグアナミン、シリコーン樹脂などの有機系の微粒子を使用することができる。
【００２１】
微粒子の粒子径としては、平均粒径で１〜２０μｍであることが好ましい。また、微粒子の粒径分布は、単分散性のものでよいし、多分散性のものでもよいが、映像の鮮明性をより高めるという観点からは、単分散性のものが好ましい。
【００２２】
透過型スクリーンは、光散乱層の単層から構成されているものでもよいが、プラスチックフィルムやガラスなどの透明基材上に光散乱層を有するものでもよい。
【００２３】
また、透過型スクリーンの光学特性として、ヘーズ（ＪＩＳ  Ｋ７１３６：２０００）は６０％以上が好ましく、８０％以上であることがより好ましい。このようにヘーズを６０％以上とすることにより、プロジェクタから投射された映像の視野角を十分広くすることができるとともに、表示部材の観察者とは反対側を見えづらくすることができる。また、ヘーズを高くしすぎると全光線透過率が低下して投映映像が暗くなる傾向にあることから、ヘーズの上限は９５％であることが好ましい。ヘーズは、光散乱層に含まれる微粒子の含有量や光散乱層の厚みを適宜調整することにより、上述した範囲とすることができる。なお、本発明の透過型スクリーンにおいては、全光線透過率（ＪＩＳ  Ｋ７３６１−１：１９９７）が７０％以上であることが好ましい。
【００２４】
遮光層は、光散乱層の効果（表示部材の観察者とは反対側を見えづらくする効果）を、より十分なものとする役割を有する。すなわち、ハーフミラーの一方の面に透過型スクリーンを設けた場合、光散乱層から距離が離れた物や人は見えなくなるものの、光散乱層に極めて近接した物などは影がぼんやりと見えてしまうが、さらに遮光層を設けることにより、ハーフミラーの表面側（図３のＡ側）の明るさより、表示部材を通して見えるハーフミラーの遮光層側（図３のＢ側）にある物などの明るさを暗くし、ハーフミラーの表面側（図３のＡ側）からＢ側にある物をより一層見えづらくすることができる。
【００２５】
また、上記効果は、Ｂ側からプロジェクタで投映を行った際も同様である。即ち、プロジェクタで投映を行っても、プロジェクタの光自体は明るいが、プロジェクタの光がＢ側の物を照らさない限り、Ａ側からみたＢ側の物など自体の明るさはＡ側より暗いことには変わらないからである。
【００２６】
なお、上記効果を得るため、遮光層を用いることなく、光散乱層のヘーズを１００％近くまで上げたり、全光線透過率を低くする手段も考えられる。しかし、このような構成とした場合、透過率が均一に低下し、表示が暗くなったり、スクリーンゲイン（ＳＧ値）が低下してしまう。一方、本発明で用いる遮光層の場合、微視的に見ると光透過部の透過率は低下しないことから、表示の明るさやＳＧ値を低下させづらくすることができる。
【００２７】
遮光層は、光透過部と遮光部の混在パターンからなり、例えば、図４のように、光透過部３１の中に遮光部３２が無数に配置されたもの、あるいは図４の光透過部３１と遮光部３２を反転させたもの（以下、図４および図４を反転させたタイプを網点タイプという）、図５のように、一方向に延びる光透過部３１と遮光部３２とを交互に有するもの、図６のように、光を透過する面（光透過部３１）と光を遮光する面（遮光部３２）とからなる突起を多数有するもの（図６のようなタイプをルーバータイプという）などがあげられる。また、図示していないが、遮光性を有するシート状の材料に、光透過部となる孔を多数形成したものでもよい。これらの中でも、投映映像の視認性に優れ、像の視野角制限のない網点タイプが好ましい。なお、各図では遮光部の幅、直径、形状、間隔等が図面内で同一になっているが、これら条件は遮光層の中で所々変更しても構わない。また、図で示す遮光部の形状は一例であり、この形状に限られるものではない。例えば図４の場合、遮光部３２は個々に大きさが異なっていてもよいし、遮光部３２の形状は四角形等の他の形状であってもよい。
【００２８】
遮光層の遮光部の面積割合は２０〜８０％であることが好ましく、４０〜６０％であることがより好ましい。２０％以上とすることにより、情報表示部材の遮光層側（図３のＢ側）を暗くし、ハーフミラー側（図３のＡ側）から遮光層側を見えづらくすることができ、８０％以下とすることにより投映映像が暗くなりすぎることを防止することができる。
【００２９】
遮光層の光透過部の大きさ（図４の場合は直径、図５の場合は幅、図６の場合は光透過面の高さ方向の長さ）は０．５０ｍｍ以下であることが好ましい。このような範囲とすることにより、情報表示部材のハーフミラー側から遮光層側を見えづらくすることができる。また、光透過部の大きさの下限は０．０１ｍｍ程度とすることが好ましい。
【００３０】
遮光層の遮光部は、主として高分子樹脂と着色剤から形成される。高分子樹脂としては、光散乱層で例示したものと同様のものがあげられる。着色剤としては、カーボンブラック、グラファイト、チタンブラックなどの黒色染顔料、アルミニウム、銀などの金属粉などがあげられる。光透過部は、高分子樹脂などからなる場合もあるが、孔の部分にあたる場合など何も存在しないこともある。
【００３１】
本発明の情報表示部材は、ハーフミラー−透過型スクリーン−遮光層の順でもよいし、ハーフミラー−遮光層−透過型スクリーンの順でもよいが、前者の順が好ましい。前者の順とすることにより、透過型スクリーンの光散乱効果によりハーフミラー側から見た場合の遮光層の遮光パターンを見えづらくすることができるとともに、コントラストの関係から後者に比べて情報表示部材のハーフミラー側から遮光層側の背景を見えづらくすることができる。また、本発明の情報表示部材においては、透過型スクリーンおよび遮光層は、ハーフミラー上に単に重ねた状態でも良いし、粘着剤で貼り合わせた状態でも良い。
【００３２】
以上のような情報表示部材は、ハーフミラーとは反対側からプロジェクタにより投映して使用する。投映の際は、情報表示部材の全面に投映してもよいし、一部分に投映してもよい。このように用いることにより、ハーフミラー側にいる観察者は、自分の反射像とプロジェクタによる投映映像を同時に観察することができ、かつハーフミラーの反対側の物などが見えることもない。なお、透過型スクリーンは後方にも光を散乱することから、ハーフミラー側からプロジェクタにより投映することも可能である。
【実施例】
【００３３】
以下、実施例により本発明を更に説明する。なお、「部」、「％」は特に示さない限り、重量基準とする。
【００３４】
［実施例１］
ハーフミラー（ニューマジックミラー：保坂硝子社、透過率８％、膜面反射率約５０％）の一方の面に、網点タイプの遮光層（ＡＫティント：きもと社、１５０線、遮光部面積率２０％）、透過型スクリーン（ディラッドスクリーンGS：きもと社、ヘーズ９２％）をこの順で重ね、さらに周囲を枠で固定して実施例１の情報表示部材を得た。
【００３５】
［実施例２〜７］
実施例１の遮光層を、遮光部面積率３０％、４０％、５０％、６０％、７０％、８０％の遮光層（ＡＫティント：きもと社、１５０線）に変更した以外は実施例１と同様に、実施例２〜７の情報表示部材を得た。
【００３６】
［実施例８〜１４］
実施例１〜７の透過型スクリーンと遮光層との順を入れ替えた以外は実施例１〜７と同様に、実施例８〜１４の情報表示部材を得た。
【００３７】
［比較例１］
実施例１から遮光層を除いた以外は実施例１と同様に、比較例１の情報表示部材を得た。
【００３８】
このようにして得られた実施例１〜７の情報表示部材に、ハーフミラーとは反対側からプロジェクタにより映像を投映し、ハーフミラー側から観察を行った。その結果、実施例１〜７何れのものも、観察者の反射像と投映映像の２つの像を観察することができ、特に実施例１〜５のものは投映映像が明るく視認性に優れるものであった。また、実施例１〜７の情報表示部材の遮光層側に人物が接近した場合、何れのものもハーフミラー側から人影を認識しづらく、特に実施例３〜７のものは、人物が接触する程度にまで接近しても人影を認識しづらいものであった。
【００３９】
次いで、実施例１〜７と同様に実施例８〜１４の情報表示部材に、ハーフミラーとは反対側からプロジェクタにより映像を投映し、ハーフミラー側から観察を行った。その結果、実施例８のものは、実施例１より人影を認識しづらく、かつハーフミラー側に接近しても遮光層の遮光パターンが見えないものであった（以下、実施例９〜１４と実施例２〜７との関係も同様）。
【００４０】
次いで、実施例１〜７と同様に比較例１の情報表示部材に、ハーフミラーとは反対側からプロジェクタにより映像を投映し、ハーフミラー側から観察を行った。その結果、観察者の反射像と投映映像の２つの像を観察することができたものの、ハーフミラーの反対側に人が接近した際に人影が見えてしまうものであった。
【図面の簡単な説明】
【００４１】
【図１】本発明の情報表示部材の一実施例を示す断面図
【図２】本発明の情報表示部材の他の実施例を示す断面図
【図３】本発明の情報表示部材の使用状態の一実施例を示す図
【図４】遮光層の一実施例を示す平面図
【図５】遮光層の他の実施例を示す平面図
【図６】遮光層の他の実施例を示す断面図
【符号の説明】
【００４２】
１・・・・情報表示部材
２・・・・ハーフミラー
３１・・・光透過部
３２・・・遮光部
３３・・・透明基材
３・・・・遮光層
４１・・・透明基材
４２・・・光散乱層
４・・・・透過型スクリーン
５・・・・プロジェクタ
５１・・・投映光
【図１】
2009069550.tif 000003
【図２】
2009069550.tif 000004
【図３】
2009069550.tif 000005
【図４】
2009069550.tif 000006
【図５】
2009069550.tif 000007
【図６】
2009069550.tif 000008